(57)【要約】【課題】天候に左右されず、乾燥期間の排除による工期短縮及び熟練工でなくても誰でも出来、より早く、より安く、より簡単に施工出来る工法での大幅なコストダウン。【解決手段】モルタル土台１と、吊り下げ用ナット２と、吊り下げ用ボルト３と、高さ調整用ナット４、及び、吊り用金具バー５を備え、モルタル土台１の上部には、吊り下げ用ナット２を埋め込み、吊り下げ用ボルト３を、吊り下げ用ナット４に螺入して固定し、この吊り下げ用ボルト３に、テンプレート枠にぶら下げるための、吊り用金具バー５を螺入し、さらに、その上から、高さ調整用ナット４を螺入し、吊り下げ用ナット２により、モルタル土台１を設置する高さを調整するようにしたことを特徴とするモルタル土台設置具。【選択図】  図２
2015101928.tif 000002
【特許請求の範囲】
【請求項１】
モルタル土台１と、吊り下げ用ナット２と、吊り下げ用ボルト３と、高さ調整用ナット４、及び、吊り用金具バー５を備え、
モルタル土台１の上部には、吊り下げ用ナット２を埋め込み、吊り下げ用ボルト３を、吊り下げ用ナット４に螺入して固定し、この吊り下げ用ボルト３に、テンプレート枠にぶら下げるための、吊り用金具バー５を螺入し、さらに、その上から、高さ調整用ナット４を螺入し、吊り下げ用ナット２により、モルタル土台１を設置する高さを調整するようにしたことを特徴とするモルタル土台設置具。
【請求項２】
請求項１のモルタルの土台１設置具を用いて、アンカーボルト固定用の四角状のテンプレート枠６に、モルタルの土台設置具の吊り用金具バーの両端を置き、テンプレート枠６の上から吊り下げ、吊り下げたモルタル土台設置具の、吊り下げ用ボルト３に付いている高さ調節用ナット４を左右に廻し締めて、モルタル土台の高さを調整するようにしたことを特徴とするモルタルの土台の設置工法。
【発明の詳細な説明】
【技術分野】
【０００１】
本発明は、鉄骨柱を建てるに当たって、モルタルの土台を簡単に設置するための、モルタル土台設置具とその設置方法に関する。
【背景技術】
【０００２】
従来、鉄骨柱を建てるに当たっては、左官がモルタルを練って現場で一か所ずつモルタルの土台を据え、相番者がレベル器で高さを見て調整を行い、モルタルの乾燥期間を待ち、そしてモルタルの強度が出てから鉄骨柱を建てていた。
【先行技術文献】
【特許文献】
【０００３】
【特許文献１】特開２０１２−１４０８４８
【発明の概要】
【発明が解決しようとする課題】
【０００４】
背景技術で述べたように、モルタルを現場で練り、そのモルタルの土台を据え付け、高さ調整し、そのモルタルが乾燥し、強度が出るまで待って、鉄骨柱を建てると、工期的にも長い日数が必要となっており、工期が短縮でき、簡単にできる設置工法が求めらている。
【課題を解決するための手段】
【０００５】
モルタル土台１と、吊り下げ用ナット２と、吊り下げ用ボルト３と、高さ調整用ナット４、及び、吊り用金具バー５を備え、
モルタル土台１の上部には、吊り下げ用ナット２を埋め込み、吊り下げ用ボルト３を、吊り下げ用ナット４に螺入して固定し、この吊り下げ用ボルト３に、テンプレート枠にぶら下げるための、吊り用金具バー５を螺入し、さらに、その上から、高さ調整用ナット４を螺入し、吊り下げ用ナット２により、モルタル土台１を設置する高さを調整するようにしたことを特徴とするモルタル土台設置具。
【０００６】
モルタルの土台設置具を用いて、アンカーボルト固定用の四角状のテンプレート枠６に、モルタルの土台設置具の吊り用金具バーの両端を置き、テンプレート枠６の上から吊り下げ、吊り下げたモルタル土台設置具の、吊り下げ用ボルト３に付いている高さ調節用ナット４を左右に廻し締めて、モルタル土台の高さを調整するようにしたことを特徴とするモルタルの土台の設置工法。
【発明の効果】
【０００７】
工期短縮が出来、かつ、熟練工でなくても簡単に施工出来るため、コストダウンに繋げられる。
【図面の簡単な説明】
【０００８】
【図１】本発明のモルタル土台設置具の構成
【図２】本発明のモルタル土台設置具を、アンカーボルト固定用テンプレート枠に乗せて吊り下げた状況図
【図３】図２が完成して、モルタル土台の上に鉄骨のベースプレートを置いた状態
【図４】本発明のモルタル土台設置具の写真
【図５】本発明のモルタル土台設置具をアンカーボルト固定用テンプレート枠から吊り下げコンクリートに埋め込み据え付けた状況の写真
【発明を実施するための形態】
【０００９】
本発明は鉄骨柱を建てるに当たって、モルタル土台を別の場所で作っておいて、地中梁コンクリートを打設中に、地中梁柱部分へのモルタルの土台の埋め込みと、据え付けを同時施工として簡単に早くするためのモルタル土台設置具と、その設置工法である。
【００１０】
最初に、モルタル土台１の製作方法を示す。モルタル土台１を製作する型枠の中心に吊り下げ用ナット２を埋め込み、型枠の中にモルタルを流し込む。
モルタルの土台１の製作用の型枠の内側に流し込んだ練ったモルタルが乾燥した時点で型枠から外して、吊り下げ用ナット２を埋め込んだモルタル土台１を、予め製作する。
【００１１】
本発明のモルタル土台設置具について図１〜図５で説明する。
【００１２】
図１は、本発明のモルタル土台設置具の構成を示す。
図１に示すように、本発明のモルタル土台設置具１１は、モルタル土台１と、吊り下げ用ナット２と、吊り下げ用ボルト３と、高さ調整用ナット４、及び、吊り用金具バー５を備える。
【００１３】
先作りされたモルタル土台１の上部には、吊り下げ用ナット２を埋め込んでいる。吊り下げ用ボルト３を、吊り下げ用ナット２に螺入して固定する。
この吊り下げ用ボルト３に、後述するテンプレート枠にぶら下げるための、吊り用金具バー５を螺入し、さらに、その上から、高さ調整用ナット４を螺入する。
【００１４】
図２は、本発明のモルタル土台設置具を、アンカーボルト固定用テンプレート枠に乗せ吊り下げて使用する場合の構成、図５は、その使用例を示す。
アンカーボルト７に、例えば、アンカーボルト固定用の四角状のテンプレート枠６に、モルタルの土台設置具の吊り用金具バーの両端を置き、テンプレート枠６の上から吊り下げる。
【００１５】
吊り下げたモルタル土台設置具の、吊り下げ用ボルト３に付いている高さ調節用ナット４を左右に廻し締めて、モルタル土台の高さを調整する。
【００１６】
図５に示すように、モルタルの土台１を地中梁コンクリートの中に埋め込み、オートレベル器で高さを見ながら据えつける。この時廻りのコンクリート高さＱは、先作りモルタルの土台の基準天端Ｐから１０ｍｍから２０ｍｍ程度低く均しておく。
【００１７】
そして、基準天端Ｐとコンクリート高さＱの間にグラウト注入し、その注入量を一定にする。後、打ち込んだ地中梁コンクリートが硬化すれば、先作りモルタルの土台１に取り付けた吊り下げ用ボルト３、吊り用金具バー５は外す。
【００１８】
図３は、図２が完成して、モルタル土台の上に鉄骨のベースプレートを置いた状態である。
図３のように、地中梁構造物の柱部分に埋め込み据え付けた、モルタル土台の上に、鉄骨柱を建てた時の鉄骨のベースプレート９を設置する。
【産業上の利用可能性】
【００１９】
本発明は鉄骨柱を建てるに当たって、先作りモルタルの土台の高さ調整を簡単に早く安く施工出来る工法である。
【符号の説明】
【００２０】
１    モルタル土台
２    吊り下げ用ナット
３    吊り下げ用ボルト
４    高さ調整用ナット
５    吊り用金具バー
６    テンプレート枠
７    アンカーボルト
８    コンクリート
９    鉄骨のベースプレート
１０  鉄骨柱
１１  モルタル土台設置具
【図１】
2015101928.tif 000003
【図２】
2015101928.tif 000004
【図３】
2015101928.tif 000005
【図４】
2015101928.tif 000006
【図５】
2015101928.tif 000007
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
モルタル土台１と、吊り下げ用ナット２と、吊り下げ用ボルト３と、高さ調整用ナット４
、及び、吊り用金具バー５を備え、モルタル土台１の上部には、吊り下げ用ナット２を埋め込み、吊り下げ用ボルト３を、吊り下げ用ナット４に螺入して固定し、この吊り下げ用ボルト３に、テンプレート枠にぶら下げるための、吊り用金具バー５を螺入し、さらに、その上から、高さ調整用ナット４を螺入し、吊り下げ用ナット２により、モルタル土台１を設置する高さを調整するようにしたモルタル土台設置具を用いて、アンカーボルト固定用の四角状のテンプレート枠６に、モルタルの土台設置具の吊り用金具バーの両端を置き、テンプレート枠６の上から吊り下げ、吊り下げたモルタル土台設置具の、吊り下げ用ボルト３に付いている高さ調節用ナット４を左右に廻し締めて、モルタル土台の高さを調整するようにしたことを特徴とするモルタルの土台の設置工法。